(57)【特許請求の範囲】
【請求項１】
ハンドル部と当該ハンドル部に対して先端を屈曲させた読取部とを有し、当該読取部の先端に開口部が形成された本体ハウジングと、
前記開口部からレーザ光を出射させてコードシンボルを反射したレーザ光を前記開口部に入射させるレーザ光の光路を形成し、前記開口部に対向させたコードシンボルを反射したレーザ光を受光することによって当該コードシンボルのデータを光学的に読み取る光学的データ読取装置と、
平板状のフェライトコアに対して導線をコイル状に巻きつけて前記フェライトコアの端面から磁界を発生させるアンテナを有し、当該アンテナから発生する磁界の向きを前記レーザ光の光路の方向と同方向に向けて前記アンテナを前記読取部内に配置し、前記開口部に対向させたＩＣチップに対してデータを電磁誘導により読み書きする電磁的データリードライト装置と、
を備えることを特徴とするハンディターミナル。
【請求項２】
ハンドル部と当該ハンドル部に対して先端を屈曲させた読取部とを有し、当該読取部の先端に開口部が形成された本体ハウジングと、
前記開口部からレーザ光を出射させてコードシンボルを反射したレーザ光を前記開口部に入射させるレーザ光の光路を形成し、コードシンボルを反射したレーザ光を受光することによって当該コードシンボルのデータを光学的に読み取る光学的データ読取装置と、
棒状のフェライトコアに対して導線をコイル状に巻きつけて前記フェライトコアの端面から磁界を発生させる複数個のアンテナを有し、当該複数個のアンテナから発生する磁界の向きを前記レーザ光の光路の方向と同方向に向けて前記複数個のアンテナを前記読取部内に並べて配置し、前記開口部に対向させたＩＣチップに対してデータを電磁誘導により読み書きする電磁的データリードライト装置と、
を備えることを特徴とするハンディターミナル。
【発明の詳細な説明】
【０００１】
【発明の属する技術分野】
本発明は、商品に付された商品コード等のバーコード（コードシンボル）を光学的に読み取ることが可能であり、かつ、ＩＣカードや無線タグに内蔵されたＩＣチップに対してデータを電磁誘導により読み書きすることが可能なハンディターミナルに関する。
【０００２】
【従来の技術】
近年、商品に付される商品コード等のバーコード（コードシンボル）を光学的に読み取ることが可能であり、かつ、ＩＣカードや無線タグに内蔵されたＩＣチップに対してデータを電磁誘導により読み書きすることが可能なハンディターミナルが、物流・流通市場における物品や製品の管理等に利用されている。より具体的には、例えば、物流コンテナに取り付けられた無線タグのデータを読み取ることによるコンテナの管理と、そのコンテナに収納されている製品に付されたバーコードを読み取ることによる製品の入荷状況の管理とを１台のハンディターミナルによって実現するようにしたものがある。
【０００３】
ここで、図５（ａ）は従来のハンディターミナル１００を概略的に示す平面図、図５（ｂ）はその縦断側面図である。ハンディターミナル１００の本体ハウジング１０１は、細長いハンドル部１０２と先端を下方に湾曲させた読取部１０３とにより形成されている。この読取部１０３の湾曲部位の先端には、矩形状の開口部１０４が形成されている。
【０００４】
本体ハウジング１０１のハンドル部１０２の上面には、商品コードや数量等を入力するためのテンキーやファンクションキー等の複数のキーが配列されたキーボード１０５が配設されている。また、本体ハウジング１０１の読取部１０３の上面には、液晶ディスプレイを備えた表示部１０６やデータの読取確認のためのＬＥＤ（Light Emitting Diode）等の発光素子１０７が配設されている。
【０００５】
また、本体ハウジング１０１には、開口部１０４に対して所定の角度で配設された反射ミラー１０８が内蔵されている。さらに、本体ハウジング１０１の内部には、半導体レーザ光源、スキャニングミラー、受光素子等を備えるバーコードスキャナモジュール１０９が、反射ミラー１０８に対向して設けられている。そして、バーコードスキャナモジュール１０９から出射されるレーザ光を反射ミラー１０８を介して開口部１０４からバーコードＢＣに照射し、このバーコードＢＣによって反射された反射光をバーコードスキャナモジュール１０９に入射させることよって形成される光路ｌを介して、バーコードＢＣのデータは読み取られることになる。
【０００６】
加えて、本体ハウジング１０１の読取部１０３の下面であって、開口部１０４よりもハンドル部１０２側に寄った位置には、ＩＣカード・無線タグ用リーダ／ライタアンテナ（以下、アンテナという。）１１０が設けられている。ここで、図６はアンテナ１１０を概略的に示す外観斜視図である。図６に示すように、アンテナ１１０は、平板状のプリント基板１１０ａの上にコイルｃを形成したものである。このコイルｃに電流を流した場合には、図６に示すような磁界ｈが発生する。そして、このアンテナ１１０が発生する磁界ｈへと無線タグＴが接近した場合には、無線タグＴに内蔵されたコイルアンテナ（図示せず）に誘導起電力が発生して無線タグＴのＩＣチップ（図示せず）に記憶されたデータがアンテナ１１０に対して送信され、または、アンテナ１１０から無線タグＴのＩＣチップに対してデータが送信されることになる。
【０００７】
このような構成において、このハンディターミナル１００で商品に付された商品コード等のバーコードＢＣを読取走査する場合には、操作者は本体ハウジング１０のハンドル部１０２を把持して開口部１０４をバーコードＢＣに対向させる。すると、開口部１０４を通過したレーザ光がバーコードＢＣに照射され、このバーコードＢＣからの反射光が開口部１０４を介して反射ミラー１０８によって反射されてバーコードスキャナモジュール１０９に入射させることによって形成される光路ｌを介して、このハンディターミナル１００はバーコードＢＣのデータを光学的に読取走査することができる。
【０００８】
一方、このハンディターミナル１００で無線タグＴに記憶されたデータを読み取る場合には、操作者は本体ハウジング１０１のハンドル部１０２を把持してアンテナ１１０を無線タグＴに対向させる。すると、アンテナ１１０からの磁界ｈによって無線タグＴのコイルアンテナに誘導起電力が発生し、この無線タグＴのＩＣチップに記憶されたデータをアンテナ１１０に対して送信させることにより、このハンディターミナル１００は無線タグＴに記憶されたデータを読み取ることができ、また、ハンディターミナル１００は無線タグＴにデータを書き込むことができる。
【０００９】
【発明が解決しようとする課題】
しかしながら、前述したようなハンディターミナル１００では、バーコードＢＣの読取位置と無線タグＴの読取位置とが異なってしまうことにより、読取対象毎にハンディターミナル１００の向きを変えなければならず、操作がわかりにくいという問題があった。
【００１０】
また、無線タグＴの読取位置はバーコードＢＣの読取位置に比較して本体ハウジング１０１のハンドル部１０２側に寄っているため、その読取りの際に無線タグＴが本体ハウジング１０１の蔭に隠れてしまうことになり、無線タグＴの正確な位置が確認しづらく、無線タグＴにアンテナ１１０を合わせづらいという操作上の問題があった。
【００１１】
本発明の目的は、操作性を向上させることができるハンディターミナルを得ることである。
【００１２】
【課題を解決するための手段】
請求項１記載の発明は、ハンドル部と当該ハンドル部に対して先端を屈曲させた読取部とを有し、当該読取部の先端に開口部が形成された本体ハウジングと、前記開口部からレーザ光を出射させてコードシンボルを反射したレーザ光を前記開口部に入射させるレーザ光の光路を形成し、前記開口部に対向させたコードシンボルを反射したレーザ光を受光することによって当該コードシンボルのデータを光学的に読み取る光学的データ読取装置と、平板状のフェライトコアに対して導線をコイル状に巻きつけて前記フェライトコアの端面から磁界を発生させるアンテナを有し、当該アンテナから発生する磁界の向きを前記レーザ光の光路の方向と同方向に向けて前記アンテナを前記読取部内に配置し、前記開口部に対向させたＩＣチップに対してデータを電磁誘導により読み書きする電磁的データリードライト装置とを備える。
請求項２記載の発明は、ハンドル部と当該ハンドル部に対して先端を屈曲させた読取部とを有し、当該読取部の先端に開口部が形成された本体ハウジングと、前記開口部からレーザ光を出射させてコードシンボルを反射したレーザ光を前記開口部に入射させるレーザ光の光路を形成し、コードシンボルを反射したレーザ光を受光することによって当該コードシンボルのデータを光学的に読み取る光学的データ読取装置と、棒状のフェライトコアに対して導線をコイル状に巻きつけて前記フェライトコアの端面から磁界を発生させる複数個のアンテナを有し、当該複数個のアンテナから発生する磁界の向きを前記レーザ光の光路の方向と同方向に向けて前記複数個のアンテナを前記読取部内に並べて配置し、前記開口部に対向させたＩＣチップに対してデータを電磁誘導により読み書きする電磁的データリードライト装置と、を備える。
【００１３】
したがって、電磁的データリードライト装置によるデータの読み書き位置方向と光学的データ読取装置によるデータの読み取り位置方向とが装置先端部で略一致させられることにより、ハンディターミナルによるコードシンボルまたはＩＣチップのデータ読取り等が同一位置である装置先端部を同一方向に位置させたコードシンボルやＩＣチップに向けることで可能になる。
【００１４】
【発明の実施の形態】
本発明の第一の実施の形態を図１及び図２に基づいて説明する。本実施の形態のハンディターミナルは、無線タグやコードシンボルのデータ読取り等が可能なハンディターミナルに適用され、本実施の形態のハンディターミナルにより読み取られるコードシンボルは、商品等に付されるバーコードに適用されている。
【００１５】
ここで、図１（ａ）はハンディターミナル１を概略的に示す平面図、図１（ｂ）はその縦断側面図である。ハンディターミナル１の本体ハウジング２は、細長いハンドル部３と先端を下方に湾曲させた読取部４とにより形成されている。この読取部４の湾曲部位の先端には、装置先端部である矩形状の開口部５が形成されている。
【００１６】
本体ハウジング２のハンドル部３の上面には、商品コードや数量等を入力するためのテンキーやファンクションキー等の複数のキーが配列されたキーボード６が配設されている。また、本体ハウジング２の読取部４の上面には、液晶ディスプレイを備えた表示部７やデータの読取確認のためのＬＥＤ（Light Emitting Diode）等の発光素子８が配設されている。
【００１７】
また、本体ハウジング２には、開口部５に対して所定の角度で配設された反射ミラー９が内蔵されている。さらに、本体ハウジング２の内部には、半導体レーザ光源、スキャニングミラー、受光素子等を備える光学的データ読取装置であるバーコードスキャナモジュール１０が、反射ミラー９に対向して設けられている。そして、バーコードスキャナモジュール１０から出射されるレーザ光を反射ミラー９を介して開口部５からバーコード（図示せず）に照射し、このバーコードによって反射された反射光をバーコードスキャナモジュール１０に入射させることよって形成される光路Ｌを介して、バーコードのデータは読み取られることになる。つまり、この光路Ｌの方向が、バーコードスキャナモジュール１０によるデータの読み取り位置方向になる。
【００１８】
加えて、本体ハウジング２の読取部４には、電磁的データリードライト装置であるＩＣカード・無線タグ用リーダ／ライタアンテナ（以下、アンテナという。）１１が設けられている。本実施の形態のアンテナ１１は、バーコードスキャナモジュール１０から出射されるレーザ光（バーコードからの反射光）の光路Ｌに干渉しない位置であって、開口部５のハンドル部３側に位置する長手方向端部５ａに寄せて配設されている。
【００１９】
次に、アンテナ１１について説明する。ここで、図２はアンテナ１１を概略的に示す外観斜視図である。図２に示すように、アンテナ１１は、金属酸化物製であって平板状のフェライトコア１１ａに対して導線Ｃをコイル状に巻きつけたものである。この導線Ｃに電流を流した場合には、図２に示すような磁界Ｈが発生する。図１に示すように、このアンテナ１１は、その磁界Ｈの向きをバーコードスキャナモジュール１０から出射されるレーザ光の光路Ｌの方向と同方向に向けて配置される。そして、このアンテナ１１が発生する磁界Ｈへと無線タグ（図示せず）が接近した場合には、無線タグに内蔵されたコイルアンテナ（図示せず）に誘導起電力が発生して無線タグのＩＣチップ（図示せず）に記憶されたデータがアンテナ１１に対して送信され、または、アンテナ１１から無線タグのＩＣチップに対してデータが送信されることになる。つまり、磁界Ｈの方向が、アンテナ１１によるデータの読み書き位置方向になる。
【００２０】
このような構成において、このハンディターミナル１で商品に付された商品コード等のバーコードを読取走査する場合には、操作者は本体ハウジング２のハンドル部３を把持して開口部５をバーコードに対向させる。すると、開口部５を通過したレーザ光がバーコードに照射され、このバーコードからの反射光が開口部５を介して反射ミラー９によって反射されてバーコードスキャナモジュール１０に入射することにより、このハンディターミナル１はバーコードのデータを光学的に読取走査することができる。
【００２１】
一方、このハンディターミナル１で無線タグに記憶されたデータを読み取る場合には、操作者は本体ハウジング２のハンドル部３を把持して開口部５を無線タグに対向させる。すると、開口部５を通過したアンテナ１１からの磁界Ｈによって無線タグのコイルアンテナに誘導起電力が発生し、この無線タグのＩＣチップに記憶されたデータをアンテナ１１に対して送信させることにより、このハンディターミナル１は無線タグに記憶されたデータを読み取ることができ、また、ハンディターミナル１は無線タグにデータを書き込むことができる。
【００２２】
ここに、バーコードスキャナモジュール１０から開口部５を介して出射されるレーザ光の光路Ｌの方向と開口部５を介して発生するアンテナ１１からの磁界Ｈの向きとが同一方向になるので、いずれの場合においてもハンディターミナル１の向きを変えることなく同一操作によって対応することができ、また、無線タグのデータも開口部５で読み書きすることができるので、無線タグの正確な位置を確認し易くすることができ、ハンディターミナル１の操作性を向上させることができる。
【００２３】
次に、本発明の第二の実施の形態を図３に基づいて説明する。なお、第一の実施の形態で示した部分と同一部分は同一符号を用いて示し、説明も省略する。
【００２４】
本実施の形態のハンディターミナル２０は、本発明の第一の実施の形態のハンディターミナル１に比較して、アンテナ１１の配置場所を代えた点でのみ異なるものである。
【００２５】
ここで、図３はハンディターミナル２０を概略的に示す縦断側面図である。図３に示すように、本実施の形態のアンテナ１１は、バーコードスキャナモジュール１０から出射されるレーザ光（バーコードからの反射光）の光路Ｌに干渉しない位置であって、開口部５のハンドル部３側とは反対側に位置する長手方向端部５ｂ（図１参照）に寄せて配設されている。また、このアンテナ１１は、その磁界Ｈの向きをバーコードスキャナモジュール１０から出射されるレーザ光の光路Ｌの方向と同方向に向けて配置される。そして、このアンテナ１１が発生する磁界Ｈへと無線タグが接近した場合には、無線タグのコイルアンテナに誘導起電力が発生して無線タグのＩＣチップに記憶されたデータがアンテナ１１に対して送信され、または、アンテナ１１から無線タグのＩＣチップに対してデータが送信されることになる。
【００２６】
ここに、バーコードスキャナモジュール１０から開口部５を介して出射されるレーザ光の光路Ｌの方向と開口部５を介して発生するアンテナ１１からの磁界Ｈの向きとが同一方向になるので、いずれの場合においてもハンディターミナル１の向きを変えることなく同一操作位置において対応することができ、また、無線タグのデータも開口部５で読み書きすることができるので、無線タグの正確な位置を確認し易くすることができ、ハンディターミナル１の操作性を向上させることができる。
【００２７】
なお、各実施の形態においては、平板状のフェライトコア１１ａに対して導線Ｃをコイル状に巻きつけたアンテナ１１を用いたが、これに限るものではない。例えば、図４に示すような棒状のフェライトコア３１ａに対して導線Ｃをコイル状に巻きつけたアンテナ３１を複数個並べて用いても良い。いずれにしても、バーコードスキャナモジュール１０から出射されるレーザ光（バーコードからの反射光）の光路Ｌに干渉しない位置に配置されるとともに、バーコードスキャナモジュール１０から開口部５を介して出射されるレーザ光の光路Ｌの方向と開口部５を介して発生するＩＣカード・無線タグ用リーダ／ライタアンテナからの磁界Ｈの向きとが同一方向になるものであれば、どのような形状・形態のＩＣカード・無線タグ用リーダ／ライタアンテナを用いても良い。
【００２８】
また、各実施の形態においては、半導体レーザ光源、スキャニングミラー、受光素子等を備えるレーザ方式のバーコードスキャナモジュール１０を用いたが、これに限るものではなく、ＬＥＤ（Light Emitting Diode）等の光源やＣＣＤ（Charge Coupled Device）等を備えるＣＣＤ方式のバーコードスキャナモジュールを用いても良い。
【００２９】
さらに、各実施の形態においては、コードシンボルとしてバーコードを適用したが、これに限るものではなく、データコード等の二次元コードやＯＣＲコード等をコードシンボルとして適用しても良い。但し、その場合の光学的データ読取装置をそれぞれのコードシンボルの読取りに対応させることは言うまでもない。
【００３０】
【発明の効果】
本発明によれば、電磁的データリードライト装置によるデータの読み書き位置方向と光学的データ読取装置によるデータの読み取り位置方向とを装置先端部で略一致させることにより、ハンディターミナルによるコードシンボルまたはＩＣチップのデータ読取り等を同一位置である装置先端部を同一方向に位置させたコードシンボルやＩＣチップに向けることにより行うことができるので、操作性を向上させることができる。
【図面の簡単な説明】
【図１】本発明の第一の実施の形態のハンディターミナルを示し、（ａ）はハンディターミナルを概略的に示す平面図、（ｂ）はその縦断側面図である。
【図２】アンテナを概略的に示す外観斜視図である。
【図３】本発明の第二の実施の形態のハンディターミナルを概略的に示す縦断側面図である。
【図４】別のアンテナを示す外観斜視図である。
【図５】従来のハンディターミナルを示し、（ａ）は従来のハンディターミナルを概略的に示す平面図、（ｂ）はその縦断側面図である。
【図６】従来のアンテナを概略的に示す外観斜視図である。
【符号の説明】
５        装置先端部
１０      光学的データ読取装置
１１      電磁的データリードライト装置
【図１】
0003847986.tif 000002
【図２】
0003847986.tif 000003
【図３】
0003847986.tif 000004
【図４】
0003847986.tif 000005
【図５】
0003847986.tif 000006
【図６】
0003847986.tif 000007